(57)【要約】 【構成】  自動倉庫のラックの底部にＦＦＵ８を配置し、ラック背面のダクト３２からクリーンエアをラック４内に供給する。ＦＦＵ８の上面のダクト寄りに上部吹き出し口１８を設け、風向板２０を介して、ラックの最下棚２１へ背面側から正面側へ流れるクリーンエアの流れを形成する。【効果】  ラックの最下棚の渦流を解消できる。【選択図】    図１
2006206213.tif 000002
【特許請求の範囲】
【請求項１】
ラックの底部にファンを設けてラック背面のダクトへエアを送気し、該ダクトからラックの各棚へエアを供給するようにした自動倉庫において、
前記ラックの最下棚内へ、ラック背面寄りの下部の位置から、前記ダクトとは別個にエアを供給するための渦流防止手段を設けたことを特徴とする、クリーンルーム用の自動倉庫。
【請求項２】
前記渦流防止手段に、最下棚へエアを供給するための吹き出し口と、前記吹き出し口からのエアの気流方向を、上向きからラックの正面向き寄りへと転換して最下棚内へ供給するための風向板、とを設けたことを特徴とする、請求項１のクリーンルーム用の自動倉庫。
【請求項３】
前記風向板を前記吹き出し口の一部を塞ぐように設置すると共に、風向板の設置位置を調整自在にすることにより、吹き出し口からのエア供給量を可変にしたことを特徴とする、請求項２のクリーンルーム用の自動倉庫。
【発明の詳細な説明】
【技術分野】
【０００１】
この発明はクリーンルーム用の自動倉庫に関し、特に自動倉庫の棚内での渦流の抑制に関する。
【背景技術】
【０００２】
出願人は、ラックの底部にＦＦＵ（フィルタファンユニット）を設け、ラックの背面のダクトから各段の棚へクリーンエアを供給するようにした自動倉庫を提案した（特許文献１）。またこの自動倉庫では、ダクトへの吹き出し口にパンチングメタルなどを用いた１次整流部材を設け、またラックの背面とダクトとの間にメッシュからなる２次整流部材を設ける。
【０００３】
ところで発明者は、ラックの背面のダクトから各棚へクリーンエアを供給するタイプの自動倉庫では、ラックの最下部の棚で渦流が生じ、パーティクルが棚の中へ入ってくる虞があることを見出した。渦流が生じることは、ラックの各棚に対してダクト側からラックの正面側への均一な層流が生じていないことを意味する。
【特許文献１】特許第２５０５３９３号
【発明の開示】
【発明が解決しようとする課題】
【０００４】
この発明の基本的課題は、ラックの下部の棚で生じる渦流を抑制することにある。
請求項２，３の発明での追加の課題は、渦流をより確実に解消することにある。
【課題を解決するための手段】
【０００５】
この発明のクリーンルーム用の自動倉庫は、ラックの底部にファンを設けてラック背面のダクトへエアを送気し、該ダクトからラックの各棚へエアを供給するようにした自動倉庫において、前記ラックの最下棚内へ、ラック背面寄りの下部の位置から、前記ダクトとは別個にエアを供給するための渦流防止手段を設けたことを特徴とする。
【０００６】
好ましくは、前記渦流防止手段に、最下棚へエアを供給するための吹き出し口と、前記吹き出し口からのエアの気流方向を、上向きからラックの正面向き寄りへと転換して最下棚内へ供給するための風向板、とを設ける。
【０００７】
特に好ましくは、前記風向板を前記吹き出し口の一部を塞ぐように設置すると共に、風向板の設置位置を調整自在にすることにより、吹き出し口からのエア供給量を可変にする。
【発明の効果】
【０００８】
この発明では、ラックの最下棚内へダクトとは独立してエアを供給し、このエアで最下棚に生じる渦流をいわば吹き飛ばして、渦流を抑制することができる。
【０００９】
請求項２の発明では、最下棚内へ供給数する気流の向きを、上向きからラックの正面寄りへと風向板で転換するので、より確実に渦流を解消できる。
【００１０】
請求項３の発明では、風向板の設置位置を調整することにより、最下棚へ供給するエアの流量（換言すると、ダクトへ供給するエアの流量）を調整し、渦流を解消できる流量に調整できる。
【発明を実施するための最良の形態】
【００１１】
以下に本発明を実施するための最適実施例を示す。
【実施例】
【００１２】
図１〜図３に、実施例の自動倉庫２を示す。自動倉庫２はクリーンルーム内に設置され、例えば左右一対のラック４とその間に設けられたスタッカークレーンなどの走行スペース６とを備えている。なお図には左右のラックのうち片方のみを示し、ラック４は走行スペース６側を正面、ダクト３２側を背面とする。ラック４の最下部にはフィルタファンユニット（ＦＦＵ）８を設け、１０はそのファンで、１１は空気の取り入れ口、１２はＨＥＰＡフィルタなどのフィルタで、１４は静圧室、１６は吹き出し口である。
【００１３】
静圧室１４の上部で、なるべくラック４の背面寄りに、言い換えると吹き出し口１６寄りに、上部吹き出し口１８を設ける。上部吹き出し口１８は、ラック４の背面近傍〜ラック４の背面からラックの奥行きの１／２程度の範囲に設け、特に好ましくは背面近傍〜奥行きの１／３程度の範囲に設ける。２０は風向板で、図１の左右方向（ラック４の前後方向）にスライド自在に構成して風量調整ができるようにし、かつ上部吹き出し口１８から上向きに吹き出したクリーンエアの流れを斜め上向き〜ほぼ水平向きに変換する。
【００１４】
ラック４には下から上への順に、個別の棚２１〜２５があり、２６はそれらの棚受けで、２８はラック４の正面側、言い換えると走行スペース６側の支柱である。また２９は背面側の支柱である。３０はラック４の天板で、ここでは開口のない天板とする。ラック４の背面側にはダクト３２を設け、３４はダクト柱である。３６はＬ字鋼などを用いた邪魔板で、ダクト３２の下部〜中央部のラック４側に、例えば支柱２９に取り付ける。
【００１５】
図３にＦＦＵ８の構造を示すと、取入口１１からファン１０へ導かれた空気は、フィルタ１２で浄化され、静圧室１４に蓄えられて、吹き出し口１６からダクト３２へ吹き出す。静圧室１４の上部には上部吹き出し口１８があり、これは例えば長辺がラック４の正面に平行な長方形状の開口である。風向板２０は、上部吹き出し口１８からのクリーンエアの方向を斜め上向き〜ほぼ水平向きに変換して、クリーンエアがダクト３２内に吸引されたりすることを防止すると共に、最下棚２１の背面側下部から正面側への気流を作り出す。
【００１６】
４０は風向板２０のＦＦＵ８への取付部、４２は風向板本体である。風向板本体４２の水平面からの角度は、渦流を解消するために、例えば３０°〜５０°が好ましい。４４は取付部４０に設けた長孔で、４６はＦＦＵ８側に設けた孔であり、ボルトナットやピンなどの装着部材４８により、風向板２０をＦＦＵ８の前後方向に沿ってスライド自在に取り付ける。なおＦＦＵ８側に長孔４４を、風向板２０側に孔４６を設けても良い。また取付部４０は、上部吹き出し口１８の開口面積を変えるように、ＦＦＵ８に対してスライド自在に取り付ければよい。
【００１７】
実施例の動作を示す。ＦＦＵ８の吹き出し口１６からのクリーンエアは、ダクト３２内を流れて、ラック４の各棚２１〜２５へ供給される。ダクト３２の下部〜中央部では、流速が大きいため静圧が低く、このままでは下部〜中央部の棚２１〜２３へのクリーンエアの供給量が不足する。そこでダクト３２のラック４側に邪魔板３６を設けて、局所的に流速を低下させ、最下棚２１〜中央部の棚２２，２３へのクリーンエアの供給量を増加させる。このようにして各棚２１〜２５にほぼ均等にクリーンエアを供給する。
【００１８】
最下棚２１について見ると、ダクト３２からのクリーンエアは最下部の邪魔板３６ａから供給される。最下棚２１の背面の他の部分では、ダクト３２内の流速が速いため、ダクト３２側が負圧になりやすい。そして最下棚２１では、クリーンエアが邪魔板３６ａの下から集中的に供給され、背面の他の個所からは供給され難いため、渦流が生じやすい。ここで上部吹き出し口１８から風向板２０を介して、斜め上向き〜ほぼ水平方向前面向きにクリーンエアを供給すると、最下棚２１の下部〜高さ方向の中間部にも、ラック４の背面側から正面向きへの気流を作ることができ、渦流を解消することができる。ここで渦流を解消するのに必要な上部吹き出し口１８からの風量は、一律に予測することは難しい。そこで長孔４を利用して、風向板２０をスライドさせて風量調整し、自動倉庫２の施工時に渦流を解消するように調整する。なお風向板２０をスライドさせて風量を調整するのではなく、風向板２０とは別に、上部吹き出し口１８の一部を塞ぐスライド板などを設けて、風量を調整しても良い。
【００１９】
図１〜図２の白抜き矢印の記号は、吹き出し口１６を経由するクリーンエアの流れを示し、矢印の太さは流量を大まかに示したものである。上部吹き出し口１８からの気流にはハッチングを付けて示し、最下棚２１の上部には邪魔板３６ａからの気流が、下部には風向板２０を経由する気流が形成され、最下棚２１内の渦流を防止できる。
【００２０】
最下棚２１の渦流を防止することにより、クリーンエアで最下棚２１内の空気を均一に置き換えることができ、長時間最下棚２１に留まって汚染された空気が残ることがない。またスタッカークレーンの走行風などにより、ラック４の正面側から背面向きの気流が生じるような場合、スタッカークレーンの台車に近い位置にある最下棚２１が影響を受けやすい。しかしながら、邪魔板３６からの気流と、上部吹き出し口１８から風向板２０を介しての気流とにより、最下棚２１にラック４の正面向きに、高さ方向に沿ってほぼ均一な気流を作るので、最下棚に汚染された空気が吸引されることがない。
【００２１】
実施例では邪魔板３６と上部吹き出し口１８や風向板２０を併用する例を示したが、邪魔板３６は設けなくても良い。実施例ではＦＦＵ８を設けたが、単なるファンを設けて、フィルタは上部吹き出し口１８の部分や各棚２１〜２５とダクト３２との境界に設けても良い。さらに最下棚２１の下方にラック４の床板などを設ける場合、床板に吹き出し口と風向板２０を設け、ＦＦＵ８の上部吹き出し口１８と連通させると良い。
【００２２】
実施例では以下の効果が得られる。
(1)  最下棚２１での渦流を防止できる。
(2)  最下棚２１での渦流を防止できるので、同じ空気が長時間最下棚２１に残ることが無く、クリーンエアで常時最下棚２１の雰囲気を置き換えることができる。
(3)  スタッカークレーンの走行風などが最下棚２１に侵入しようとする場合も、邪魔板３６ａからのクリーンエアと、上部吹き出し口１８からのクリーンエアとで、走行スペース６からの空気が侵入するのを防止できる。
(4)  邪魔板３６により、ラック４の下部〜中央部の棚２１〜２３にもほぼ均一にクリーンエアを供給できる。
【図面の簡単な説明】
【００２３】
【図１】実施例の自動倉庫の要部側面図
【図２】図１のＡ−Ａ方向要部水平断面図
【図３】実施例で用いたＦＦＵの斜視図
【符号の説明】
【００２４】
２  自動倉庫
４  ラック
６  走行スペース
８  ＦＦＵ
１０  ファン
１１  取入口
１２  フィルタ
１４  静圧室
１６  吹き出し口
１８  上部吹き出し口
２０  風向板
２１〜２５ 棚
２６  棚受け
２８，２９      支柱
３０  天板
３２  ダクト
３４  ダクト柱
３６  邪魔板
４０  取付部
４２  風向板本体
４４  長孔
４６  孔
４８  装着部材
【図１】
2006206213.tif 000003
【図２】
2006206213.tif 000004
【図３】
2006206213.tif 000005